(57)【特許請求の範囲】
【請求項１】
永久磁石形回転電気機械の固定子に、回転子回転駆動用のｐ極の巻線と、回転子半径方向位置制御用のｐ±２極の追加巻線とを備え、主軸の半径方向位置を検出して、該主軸の半径方向位置が指令値と一致するように、前記巻線にそれぞれ電流を供給して半径方向力を発生させる、回転電気機械の制御システムにおいて、
前記回転子回転駆動用のｐ極の巻線に流れる電流と、回転子回転角を検出し、回転子回転駆動用のｐ極の巻線の電流のｑ軸成分ｉｑと、ｄ軸成分ｉｄと、永久磁石のｄ軸電流等価換算分ｉｐとから、磁束ベクトルの大きさに比例するｉｄ’（ｉdm ＝ｉｄ＋ｉｐ、ｉｄ’＝（ｉdm２＋ｉｑ２）（１／２））と前記磁束ベクトルのｄ軸からの傾き角度２θを演算し、
この演算結果を非干渉化ブロックに伝送し、全体を前記磁束ベクトルの大きさに比例するｉｄ’で除し、位相を２θ増加することで、位置制御電流指令値を発生し、速度制御系と、半径方向位置制御系を非干渉化することを特徴とした制御システム。
【請求項２】
前記電流の検出値を３相２相変換し、この電流をｄ軸とｑ軸よりなる回転座標に変換することにより、電流のｄ軸成分とｑ軸成分とを検出することを特徴とした請求項１記載の制御システム。
【請求項３】
永久磁石形回転電気機械の固定子に、回転子回転駆動用のｐ極の巻線と、回転子半径方向位置制御用のｐ±２極の追加巻線とを備え、主軸の半径方向位置を検出して、該主軸の半径方向位置が指令値と一致するように、前記巻線にそれぞれ電流を供給して半径方向力を発生させる、回転電気機械の制御システムにおいて、
前記回転子回転駆動用のｐ極の巻線に流れる電流と端子電圧を検出し、あらかじめ測定した電動機定数から導出された電圧電流方程式により回転子回転角を検出し、回転子回転駆動用のｐ極の巻線の電流のｑ軸成分ｉｑと、ｄ軸成分ｉｄと、永久磁石のｄ軸電流等価換算分ｉｐとから、磁束ベクトルの大きさに比例するｉｄ’（ｉdm ＝ｉｄ＋ｉｐ、ｉｄ’＝（ｉdm２＋ｉｑ２）（１／２））と前記磁束ベクトルのｄ軸からの傾き角度２θを演算し、
この演算結果を非干渉化ブロックに伝送し、全体を前記磁束ベクトルの大きさに比例するｉｄ’で除し、位相を２θ増加することで、位置制御電流指令値を発生し、速度制御系と、半径方向位置制御系を非干渉化することを特徴とした制御システム。
【請求項４】
前記電圧・電流の検出値を３相２相変換し、この電圧・電流を回転座標に変換することにより、電圧・電流のｄ軸成分とｑ軸成分とを検出することを特徴とした請求項３記載の制御システム。
【発明の詳細な説明】
【０００１】
【発明の属する技術分野】
本発明は、電磁力により回転子に半径方向力を発生して、半径方向位置を制御する機能、あるいは、半径方向の力を制御する機能、あるいは半径方向の速度を制御する機能、あるいは軸方向の力と半径方向の力を同時に制御する機能を付加した電動機、あるいは発電機のシステムの構成に関するものである。
【０００２】
【従来の技術】
工作機械、ターボ分子ポンプ、フライホイールなどに用いられる回転機の高速、高出力化の要求が高まっている。これらの高速機では軸受での速度限界や保守などの問題を解決するために磁気軸受が適用されつつある。
磁気軸受のサイズは充分な力を発生させるために大きくなる傾向にあり、実際、回転機の軸長に等しい場合もある。従って、主軸の軸長が長くなり、高速回転時に生じる主軸の弾性的な振動が問題となってしまい、高速回転を実現することは容易ではない。さらに、高出力化しようとすると回転機の軸長を長くする必要がある。すると、回転電気機械が発生する磁気吸引力が増加するため、磁気軸受のサイズも大形とする必要がある。この結果、危険速度が低下してしまい、高速化が極めて困難となる。
【０００３】
半径方向位置制御巻線付き回転電気機械は、回転機の磁気回路と、半径方向の力を発生する磁気回路とを一体化することにより軸長を短くして、高速高出力を実現するものである。さらに、回転子の位置制御に必要な半径方向の力を回転機の励磁磁束を利用して発生するものである。
【０００４】
図２は、本発明者等が既に提案した半径方向位置制御巻線付き回転電気機械の構成図を示している。半径方向位置制御巻線付き回転電気機械の１つのユニットが２つあり、１つのユニットには半径方向位置制御巻線付き回転電気機械の半径方向位置制御巻線電流制御用の３相インバータが接続されている。２つの半径方向位置制御巻線付き回転電気機械のユニットは電動機としてトルクを発生させるための４極巻線と、回転子の半径方向の力を発生させるための２極の巻線が巻かれている。このように１台の機械でトルクと半径方向の力が発生できるため、一般の磁気軸受付きの超高速電動機に比べて軸長が短くでき、また、軸長が同一であれば高出力化が期待できる。
【０００５】
既に、いくつかの半径方向位置制御巻線付き回転電気機械が提案されている。例えば、Bosch, R., "Development of a Bearingless Electric Motor", Proc. of ICEM'88 vol.3,  pp.331-335 では、励磁磁束を変化することにより軸方向に作用する力を発生して、ディスク形電動機の軸方向位置を調整しようとしている。ディスク形の回転機には応用可能と思われるが、広く用いられているラジアル形の回転機には応用が難しい。
【０００６】
一方、Salazar, A.O., Dunford, W., Stephan, R. and Watanabe, E., "A Magnetic Bearing System using Capacitive Sensors for Position Measurement", IEEE Trans. on Magnetics vol.26, no.5, 1990 pp.2541-2543 では、一般の誘導電動機の巻線電流を不均衡にすることにより、半径方向の力を発生して回転子の半径方向の位置を制御しようとするものである。しかし、回転子が中心に位置しているときには原理的に半径方向力が発生できないという問題点がある。
【０００７】
樋口「磁気浮上技術のFAへの応用」平成元年電気学会全国大会シンポジウムS.9-6、特開昭６４−５５０３１号公報は、従来の磁気軸受の磁路とステッピングモータの磁路を単に共有するものであり、低速のアクチュエータに適している。しかし、構造上、極数がきわめて大きい必要があるため、高速回転、高出力の応用には適していない。さらに、高出力な発電機、誘導機、永久磁石形電動機などに多く用いられる正弦波状の起磁力分布、磁束分布を持つ回転機に応用することは難しい。
【０００８】
極数を減少するとともに、従来の誘導機や永久磁石形回転機に近い構造を提案したものとして、特開平４−２３６１８８号公報、特開平４−１０７３１８号公報がある。特開平４−２３６１８８号公報では、４相のスイッチドリラクタンス機の固定子鉄心のような、８個の歯を構成した固定子に４極の集中巻線を施し、これを各磁極で分割し、各磁極の磁束を独立に制御するものである。回転磁界を発生するとともに、各磁極の磁束の強弱により半径方向力を発生することもできる。
【０００９】
特開平４−１０７３１８号公報も同様の鉄心構造となっているが、巻線を分布巻きとして、より正弦波分布に近い起磁力分布とした点に特徴がある。しかし、これらの公報では、４分割した巻線を個々に駆動するため、直交２軸の半径方向力とトルクを発生する１つのユニットで、２相巻線であれば８台の単相インバータと１６本の配線が必要となってしまう。さらに、半径方向力制御とトルク制御が同一の巻線電流によって行われるため、極めて高速かつ高精度大容量の電流駆動器が必要となってしまう。
【００１０】
本発明者等は既に、電気学会、あるいは米国電気学会（ＩＥＥＥ）などで、４極の回転機に２極の巻線を施した回転電気機械が半径方向力を発生できることを報告している。この中では、４極の回転磁界形シンクロナスリラクタンス機に２極の巻線を固定子に追加することにより、積極的に回転磁界を不平衡として半径方向力をトルクとともに発生する、新しい半径方向位置制御巻線付き回転電気機械を提案している。さらに、永久磁石形回転子を用いた半径方向位置制御巻線付き回転電気機械の解析手法、モデル化の方法、最適な回転子構造などを報告している。
【００１１】
本発明者等が提案している方式の特長は、次の通りである。
（１）直交２軸の半径方向力と、トルクを発生するために、３相巻線であれば６本の配線と２台の３相インバータだけで済む。
（２）半径方向力を発生する巻線とトルクを発生する巻線が分離しているため、半径方向力制御用インバータあるいはパワーアンプは小電力容量で済む。
（３）４極と２極の巻線を用いているため、回転子が中心に位置していれば相互結合が０となり、電動機の誘起電圧が半径方向力制御巻線に生じない。
（４）誘導機、永久磁石形同期機、シンクロナスリラクタンスモータなどの正弦波起磁力分布、正弦波磁束分布を仮定した高出力回転機に広く応用できる。
【００１２】
図３は回転子の半径方向に作用する力の発生原理を示している。４極巻線Ｎ４、２極巻線Ｎ２、が固定子に施され、４極磁束Ψ４、２極磁束Ψ２、が発生している。固定子にはトルクを発生するための４極巻線Ｎ４が施されている。いま、回転子が固定子の中心に位置している場合、この４極巻線Ｎ４に正方向の電流が流れると４極の対称磁束Ψ４が発生する。
【００１３】
４極のＮ４巻線とこれに直交する４極巻線に二相交流電流を流すことにより、４極の回転磁界が発生する。あるいは既に報告しているように３相巻線であってもよい。回転子にかご形巻線が施してあれば、通常のかご形誘導機として回転子にトルクが発生する。また、４極の永久磁石回転子であれば通常の永久磁石形電動機としてトルクを発生する。
固定子には通常の電動機巻線としての役割を果たす４極巻線に加えて、回転子の半径方向に作用する力を発生するための２極の巻線Ｎ２も施されている。Ｎ２巻線の正方向に電流を流すと２極の磁束Ψ２が発生する。
【００１４】
回転子の紙面下部のギャップでは、４極の巻線の電流による磁束の方向が２極の巻線の磁束の方向と逆である。従って、このギャップでは磁束密度が低下する。一方、回転子の紙面上部のギャップでは、４極の磁束の方向と２極の磁束の方向が一致してるため磁束密度は増加する。
このように磁束分布が不平衡になると回転子に紙面上方向へ作用する半径方向の力Ｆが生じる。この半径方向の力Ｆの大きさは２極巻線を流れる電流の大きさを制御することにより調整できる。また、半径方向の力Ｆの方向を逆にするためには、２極巻線の電流の方向を反転すればよい。
【００１５】
一方、紙面横方向の力Ｆを発生するためには、Ｎ２巻線と直交する２極巻線を施し、その電流を調整すればよい。このように直交した２極巻線の電流の大きさ、方向を調整することにより所望の大きさ、方向の半径方向の力を発生できる。図２では４極巻線を電動機駆動、２極巻線を半径方向位置制御に用いているが、４極巻線を半径方向位置制御に、２極巻線を電動機駆動に用いることも可能である。
【００１６】
このような固定子に４極、２極の巻線を施す形式の半径方向位置制御巻線付き回転電気機械を提案したのは、１９７０年代に特許文献"Radial Active Magnetic Bearing Having a Rotating Drive", Patent Specification 1 500 809, 1975にあるものが本発明者等の知る限りでは最初である。しかし、当時は半導体電力変換回路が高価であり、また、高速な電流制御が困難であった。さらに、複雑な演算を行うデジタルコントローラが未発達であり、電動機のベクトル制御などはきわめて難しく、瞬時磁束、瞬時トルク分電流の制御は不可能であった。
その後、本発明者等は特開平２−１９３５４７号公報に示すように、その後発展したデジタル制御器、半導体電流変換装置、電動機のベクトル制御理論を組み合わせることにより、詳細なモデル化とそのモデルに基づく制御則を適用することにより、この種の回転電気機械を技術的に可能とした。
【００１７】
【発明が解決しようとする課題】
永久磁石形の半径方向位置制御巻線付き回転電気機械を制御する際に、きわめて高速である、あるいは極めて大容量であるなどの理由からベクトル制御が困難な場合がある。このような場合、トルクを発生するための巻線電流により生じる磁束のレベルが、負荷や運転状態に依存して変動する。すると、発生する半径方向力はこの磁束変動の影響を直接受ける。この結果、半径方向の位置制御が困難となるおそれがある。
【００１８】
本発明は上述した事情に鑑みて為されたもので、負荷運転時、或いは過度状態等においても、トルクを発生するための電流により生じる磁束が、半径方向力に影響することなく、安定に運転が可能な永久磁石型回転電気機械の制御システムを提供することを目的とする。
【００１９】
【課題を解決するための手段】
上述した課題を解決するため、本発明の永久磁石型回転電気機械の制御システムは、永久磁石形回転電気機械の固定子に、回転子回転駆動用のｐ極の巻線と、回転子半径方向位置制御用のｐ±２極の追加巻線とを備え、主軸の半径方向位置を検出して、該主軸の半径方向位置が指令値と一致するように、前記巻線にそれぞれ電流を供給して半径方向力を発生させる、回転電気機械の制御システムにおいて、前記回転子回転駆動用のｐ極の巻線に流れる電流と、回転子回転角を検出し、回転子回転駆動用のｐ極の巻線の電流のｑ軸成分ｉｑと、ｄ軸成分ｉｄと、永久磁石のｄ軸電流等価換算分ｉｐとから、磁束ベクトルの大きさに比例するｉｄ’（ｉdm ＝ｉｄ＋ｉｐ、ｉｄ’＝（ｉdm２＋ｉｑ２）（１／２））と前記磁束ベクトルのｄ軸からの傾き角度２θを演算し、この演算結果を非干渉化ブロックに伝送し、全体を前記磁束ベクトルの大きさに比例するｉｄ’で除し、位相を２θ増加することで、位置制御電流指令値を発生し、速度制御系と、半径方向位置制御系を非干渉化することを特徴とした。
【００２０】
又、永久磁石形回転電気機械の固定子に、回転子回転駆動用のｐ極の巻線と、回転子半径方向位置制御用のｐ±２極の追加巻線とを備え、主軸の半径方向位置を検出して、該主軸の半径方向位置が指令値と一致するように、前記巻線にそれぞれ電流を供給して半径方向力を発生させる、回転電気機械の制御システムにおいて、前記回転子回転駆動用のｐ極の巻線に流れる電流と端子電圧を検出し、あらかじめ測定した電動機定数から導出された電圧電流方程式により回転子回転角を検出し、回転子回転駆動用のｐ極の巻線の電流のｑ軸成分ｉｑと、ｄ軸成分ｉｄと、永久磁石のｄ軸電流等価換算分ｉｐとから、磁束ベクトルの大きさに比例するｉｄ’（ｉdm ＝ｉｄ＋ｉｐ、ｉｄ’＝（ｉdm２＋ｉｑ２）（１／２））と前記磁束ベクトルのｄ軸からの傾き角度２θを演算し、この演算結果を非干渉化ブロックに伝送し、全体を前記磁束ベクトルの大きさに比例するｉｄ’で除し、位相を２θ増加することで、位置制御電流指令値を発生し、速度制御系と、半径方向位置制御系を非干渉化することを特徴とした。
【００２１】
【発明の実施の形態】
図４は、半径方向力を発生する電気回転機械の直流機等価モデルを示している。図４の直流機モデルでは、４極の界磁巻線Ｎd が突極状の固定子に施されている。また、４極の電機子巻線Ｎq が回転子に施されている。ここで、Ｎq はブラシを通して通電されており、回転子が回転しても固定子に対して移動しない。Ｎd 巻線に電流を流すことにより界磁磁束Ψd を発生する。この界磁磁束とＮq 巻線電流によりトルクが発生して回転子は回転する。
【００２２】
電気回転機械として半径方向力を発生するために、２極の直交巻線Ｎx、Ｎyも電機子に施されている。Ｎx、Ｎyはブラシを通して給電されており、回転子が回転しても固定子に対して位置は移動しない。いま、固定子に固定した直交２軸ｘ、ｙをとる。Ｎx、Ｎy巻線に正方向の電流を流すと、それぞれｘ、ｙ方向の起磁力が発生する。Ｎx巻線に正方向の電流を流すと図４に示すように２極の磁束Ψxが発生する。このΨxの方向は、極１ではΨdと逆方向、極３ではΨdと等しい方向である。即ち、極１では磁束密度が減少し、極３では磁束密度が増加する。この結果、回転子にはｘ軸負方向に作用する半径方向力が発生する。
【００２３】
一方、Ｎx巻線に負方向の電流が流れると、磁束Ψxの方向が反対方向となり、極１で磁束密度が増加し、極３で磁束密度が減少する。この結果、回転子にはｘ軸正方向に作用する力が発生する。
ｙ軸方向の半径方向力はＮx巻線に電流を流すことにより発生できる。Ｎy巻線に正方向の電流が流れると、回転子にｙ軸正方向に作用する半径方向力が発生する。一方、Ｎy巻線に負方向の電流が流れると、回転子にｙ軸負方向の半径方向力が発生する。
【００２４】
このように、直交２軸ｘ、ｙの正負両方向の半径方向力が発生可能である。Ｎx、Ｎy巻線に流れる電流の大きさを調整することにより、ｘ、ｙ軸方向の半径方向力の大きさを調整できる。そこで、Ｎx、Ｎy巻線電流の方向と大きさを調整することにより、所望の方向、大きさの半径方向力を発生することが可能である。
【００２５】
[インダクタンス行列と半径方向力]
既に示した図４の直流機モデルから、インダクタンス行列を求め、半径方向力を導出することが可能である。この際、半径方向力は磁気蓄積エネルギーの半径方向位置に対する偏微分として求めることができる。そこで、固定子の中心位置を基準として、回転子中心位置を直交２軸座標系ｘ、ｙで表す必要がある。さらに、このｘ、ｙを用いてインダクタンス行列を表す必要がある。
【００２６】
いま、Ｎd、Ｎq、Ｎx、Ｎyの各巻線の電流をそれぞれｉd、ｉq、ｉx、ｉyとして、各巻線の磁束鎖交数をそれぞれΨd、Ψq、Ψx、Ψyとし、ｄ、ｑ軸のインダクタンスをＬd、Ｌq、Ｎx、Ｎy巻線の自己インダクタンスをＬ2とすると、
【００２７】
【数１】
0003705658.tif 000002
である。ここで、Ｍｄ’、Ｍｑ’はそれぞれｄ軸方向、ｑ軸方向の４極と２極の巻線の相互インダクタンスの半径方向位置ｘ、ｙに対する偏微分値である。
【００２８】
（１）式より、この回転機に蓄積されるエネルギーＷmは、
【数２】
0003705658.tif 000003
である。
【００２９】
ｘ軸方向、ｙ軸方向の半径方向力Ｆx、Ｆyは、回転機が線形であると仮定すれば、磁気エネルギーをそれぞれｘ方向、ｙ方向に偏微分したものである。即ち、
【数３】
0003705658.tif 000004
である。
【００３０】
（３）式に（２）式を代入し、計算すると以下の結果が得られる。
【数４】
0003705658.tif 000005
即ち、半径方向力はｉxとｉyの線形結合で表される。（４）式から以下の点が明らかである。
【００３１】
（１）電機子反作用が小さければＭｑ’ｉｑの非対角要素が小さく簡単化できる。この際、Ｆx、Ｆyはそれぞれｉx、ｉyに比例する。その係数はＭd’ｉdである。永久磁石形の電動機であれば、ｉdは永久磁石と界磁電流成分による界磁磁束を形成する電流成分である。また、誘導電動機やシンクロナスリラクタンス機であれば、ｉdは励磁電流である。従って、電動機の励磁磁束を有効に利用して半径方向力を発生することが明らかである。
（２）電機子反作用が生じる場合にはｘ、ｙ間に干渉が生じる。しかし、
ｉd＝ｉq＝０
である特殊な場合をのぞき、（４）式の２×２行列には逆行列が存在する。このため、制御系であらかじめ逆行列を構成することにより非干渉化する必要がある。
（３）逆突極形の回転機では、非対角要素が大きくなり、トルク電流ｉqとの相互作用で大きな半径方向力が発生する。
（４）円筒形の回転機では、Ｍd’＝Ｍq’であり、（４）式は簡単化できる。
【００３２】
[ＡＣマシン]
図５は、既に示した図４の直流機モデルを永久磁石形同期機で実現した回転機の一例を示している。回転機の固定子には２４のスロットがあり、３相の４極巻線Ｕ4、Ｖ4、Ｗ4、３相の２極巻線Ｕ2、Ｖ2、Ｗ2が施されている。Ｕ4、Ｖ4、Ｗ4はＮd、Ｎq巻線に対応し、Ｕ2、Ｖ2、Ｗ2はＮx、Ｎy巻線に対応する。各巻線に流れる電流をこれらの巻線の添え字を施してｉu4、ｉv4、ｉw4、ｉu2、ｉv2、ｉw2とする。固定子に固定した直交２軸α、βを定義する。回転子は４極の突極状であり、永久磁石、界磁巻線あるいはＵ4、Ｖ4、Ｗ4の励磁電流成分により図示する極性に着磁されており、時計回りに回転する。この回転子に固定した回転座標系の直交２軸ｘ、ｙが描かれている。このｘ、ｙ軸は図４のｘ、ｙ軸に対応している。いま、α、β軸方向の半径方向力をＦα、Ｆβとする。回転子の回転方向を時計回りとし、ｙ軸とβ軸の回転角度をφとする。図はφ＝３０°での回転子と固定子の位置を示している。
【００３３】
一方、２相機のモデルを想定することができる。４極２相巻線ａ、ｂと２極の２相巻線α、βが施されているとする。ｘ、ｙ軸は図４のｘ、ｙ軸に対応する回転座標系であり、α、β軸はそれぞれα、β巻線の起磁力方向を示すとする。
すると、直流回転機モデルと、交流回転機モデルには以下の関係がある。まず、半径方向力については、回転角φに対する回転座標変換を行えばよいので、
【００３４】
【数５】
0003705658.tif 000006
である。
【００３５】
次に、電動機の電流について考える。まず、回転座標軸上での直流機モデルの電流ｉd、ｉqを２相軸の固定座標系に変換した量をｉa、ｉbと定義する。即ち、
【数６】
0003705658.tif 000007
と定義する。
【００３６】
すると、ｉa、ｉbは２相モデルの巻線ａ、ｂの正方向の電流である。さらに、４極巻線の電流は、この２相軸の巻線電流を２相３相変換したものであるから、
【数７】
0003705658.tif 000008
ここで、［Ｃ32］は２相３相変換行列であり、
【数８】
0003705658.tif 000009
である。
【００３７】
一方、２極の半径方向力を発生する巻線は、既に示した回転座標軸上の直流機モデルの電流ｉz、ｉyを、固定子に固定した２相軸上の２極巻線電流ｉα、ｉβに変換する。ここで、ｉα、ｉβはそれぞれに示すα、β巻線の電流である。このとき、ｉα、ｉβが正であれば、α、β軸方向の起磁力が発生する。このｉα、ｉβは、ｉｘ、ｉｙを用いて、（５）式の２×２行列の逆行列を用いて、
【数９】
0003705658.tif 000010
さらに、４極電流と同様に２相３相変換の行列を用いて、
【数１０】
0003705658.tif 000011
となる。
【００３８】
以上のように３相機は２相機に等価であるので、以下では、実用的な３相機について延べる。
【００３９】
図６は、フィードフォワードによる制御システムの構成を示している。ベクトル制御系では、速度ループなどによって決定するトルク指令値τ*を入力とし、速度などに応じて決定する励磁電流指令値ｉd*、トルク電流指令値ｉq*、磁束角度方向φを決定する。（６）式を（７）式右辺に代入する。さらに、右肩に＊で示した変数を制御系内の指令値とすれば、
【数１１】
0003705658.tif 000012
となる。ベクトル制御のブロックは、この式に基づいて電流指令値ｉu4*、ｉv4*、ｉw4*を発生する。さらに、４極の巻線電流は電流指令値に基づいて電流制御されるインバータにより、指令値と一致するように制御される。
【００４０】
一方、半径方向の位置制御は以下のように行われる。主軸の半径方向位置α、βは変位センサにより検出され、指令値α*、β*と比較される。比例、微分、積分（ＰＩＤ）コントローラは主軸半径方向位置を中心に戻すための半径方向力指令値Ｆα*、Ｆβ*を発生する。この固定子軸上の半径方向力の指令値は、回転座標系ｘ、ｙに変換される。即ち、（５）式の演算が指令値について行われる。
【数１２】
0003705658.tif 000013
【００４１】
さらに、この回転座標軸上の半径方向力の指令値Ｆｘ*、Ｆｙ*に基づいて（４）式を逆に解いて回転座標軸上の電流の指令値を、
【数１３】
0003705658.tif 000014
と決定する。
【００４２】
この回転座標軸上の半径方向力発生巻線の電流指令値ｉx*、ｉy*は、（９）式に基づいて固定子座標軸上へ変換され、さらに、（１０）式に基づいて３相軸上に変換される。（１２）式以降の変換をまとめると、半径方向力発生巻線の３相電流指令値ｉu2*、ｉv2*、ｉw2*は、固定子座標軸上の半径方向力の指令値から以下の式により求められる。
【００４３】
【数１４】
0003705658.tif 000015
【００４４】
この指令値に基づいて電流指令値ｉu2＊、ｉv2＊、ｉw2＊を発生する。２極３相巻線はこの指令値に基づいて運転される電流制御形インバータに接続されている。
【００４５】
［制御システムの構成］
図６は、電動機駆動系がベクトル制御され、磁束の回転角度、ｄ、ｑ軸の電流値が制御系内で明らかである場合のシステムの構成であった。ベクトル制御では、磁束フィードフォワード形、磁束フィードバック形があり、いづれの場合も磁束の角度、ｄ、ｑ軸の電流値が明らかである。
【００４６】
一方、電動機駆動に汎用のインバータを用いるような場合、あるいは、極めて高速であり瞬時電流を制御することが困難である場合、ＰＷＭインバータの適用が困難である場合もある。このような場合は、ベクトル制御の適用が困難である。また、回転機が電動機ではなく発電機として用いられる場合、簡単なダイオード整流器などが接続される場合がある。このような場合、回転機をフィードフォワード制御することは不可能である。そこで、半径方向位置制御系自体が磁束方向、ｄ、ｑ軸電流を検出して非干渉化する必要がある。
【００４７】
図７は半径方向位置制御系が、ロータリーエンコーダの出力、電動機巻線電流などから磁束方向、ｄ、ｑ軸電流を演算することにより検出する場合のシステム構成を示している。検出値を用いて、図６と同様な手法で半径方向の位置制御を行っている。なお、電動機の制御系は、要求される半径方向力が発生できる程度の磁束レベルを保つ必要がある。
【００４８】
電機子反作用が生じる永久磁石形の円筒機では、電機子反作用の影響をあらかじめ考慮する必要がある。図７は電機子反作用に対して、半径方向の位置制御系を非干渉化する手法を示している。いま、電機子電流のｄ軸成分をｉd、ｑ軸成分をｉqとする。（１４）式のｄ軸電流は、ｉdと永久磁石のｄ軸電流等価換算分ｉpの和ｉp＋ｉdとなる。いま、
ｉdm＝ｉd＋ｉp
とすると、ｉdmはｄ軸磁束を形成するｄ軸電流ベクトルである。一方、ｉqによりｑ軸磁束が発生する。円筒機であるので、ｄ軸、ｑ軸磁束により形成される磁束ベクトルの大きさは、
ｉd’＝（ｉdm2＋ｉq2）(1/2)
に比例し、その角度は
２θ＝ｔａｎ-1（ｉq／ｉdm）
だけｄ軸から傾く。即ち、電機子反作用により形成される磁束の大きさが増加し、角度がずれる。そこて、非干渉化ブロックで、全体をｉd’で除し、位相を２θ増加すればよい。
【００４９】
電機子反作用が発生しない場合は、永久磁石のサーボモータで行われるように、ｄ軸電流は０となる。また、ｑ軸電流に起因し発生する磁束は０となるため、ｉｄ、ｉｑを検出する必要はなくなる。そこで、θ＝０であるので、図７は大きく簡単化することが可能となる。
【００５０】
図８は、回転機のトルクを発生する巻線の電圧と電流を検出し、ｄ軸電流とｑ軸電流、回転角を検出するものである。まず、電流、電圧を検出して３相２相変換し、２相軸上の電圧電流に変換する。さらに、ｄ、ｑ軸に回転座標変換する。この際、回転座標変換には推定している回転子の回転角度を用いる。一方、あらかじめ測定した回転機の電動機定数から電圧電流方程式を導出する。この電圧電流方程式に電圧あるいは電流を代入し、電流あるいは電圧を算出する。この電流あるいは電圧を検出した電圧あるいは電流と比較する。この際、誤差が発生するようであれば、誤差は回転子の回転角度の推定値に起因するのであるから、回転角度の推定値を修正する。このようなフィードバックにより、回転角の推定値は実際の回転角度と常に一致する。このようにして、電圧電流からｄ、ｑ軸の電圧、電流、回転子回転角度を検出できる。そこで、図７と同様に制御することができる。
【００５１】
図９は、フィードバック形の発電機の構成例を示す。トルク発生巻線に整流器が接続された点を除いて図７と同等なシステム構成である。発電機として運転する場合には、整流器により直流電力に変換してＰＣ電力として取出すこともできる。このようにしても、図７と等しい原理で安定に浮上回転することが可能である。また、図８に示したシステム構成でもよい。
【００５２】
尚、電流制御器としては、汎用インバータ、方形波インバータ、ＰＡＭ制御インバータ、ダイオード整流器などを用いることができ、これらにより安定に浮上回転が可能である。
【００５３】
【発明の効果】
本発明は、以上に説明したように構成されているので、以下に記載されるような効果を奏する。
即ち、回転機とは極数が異なる追加巻線を施し、この巻線に電流を流すことにより非接触である半径方向位置制御系を持つ永久磁石形回転電気機械の制御システムにて、過渡時、負荷時等の大きなトルク電流が流れた、或いは変動した場合においても、安定に浮上制御が可能である。
【図面の簡単な説明】
【図１】本発明の一実施例のフィードバック形システムの構成を示す図。
【図２】ユニット全体の構成例を示す図。
【図３】半径方向力の発生原理を示す図。
【図４】直流機モデルを示す図。
【図５】巻線配置の一例を示す図。
【図６】フィードフォワード形制御器の構成例を示す図。
【図７】フィードバック形制御器の構成例を示す図。
【図８】フィードバック形制御器の電流検出を用いた構成例を示す図。
【図９】フィードバック形のシステムの発電機の構成例を示す図。
【符号の説明】
Ψ４                             ４極磁束
Ψ２                             ２極磁束
Ｎ４，Ｎd，Ｎq，Ｕ4，Ｖ4，Ｗ4    ４極巻線（駆動巻線）
Ｎ２，Ｎx，Ｎy，Ｕ2，Ｖ2，Ｗ2    ２極巻線（追加巻線）
Ｆ，Ｆx，Ｆy                     半径方向力
ｉd                              ｄ軸電流
ｉq                              ｑ軸電流
Ｃ                               非干渉制御器
α，β                           主軸の変位
【図１】
0003705658.tif 000016
【図２】
0003705658.tif 000017
【図３】
0003705658.tif 000018
【図４】
0003705658.tif 000019
【図５】
0003705658.tif 000020
【図６】
0003705658.tif 000021
【図７】
0003705658.tif 000022
【図８】
0003705658.tif 000023
【図９】
0003705658.tif 000024